(57)【要約】ビデオ信号受信機などの、オフ状態にあるときに複数のスタンバイモードを持つ装置を動作させるための方法であって、第１のスタンバイモードは、第２のスタンバイモードとは異なるスタートアップ時間を提供しおよび異なる電力量を消費し、ユーザにスタートアップ手順の間、長時間待たせることなく、電力を節約することができる。例示的な形態によれば、この方法は、一日のうち複数の異なる時間期間についてユーザに選択させるユーザインタフェースのディスプレイをイネーブルすること、および、ユーザインタフェースによりユーザが異なる時間期間の各々一つについて少なくとも３つの異なるオプションを選択できるようにすることを含み、オプションの１番目が装置をその時間期間の間、第１のスタンバイモードに設定することを含み、オプションの２番目が装置をその時間期間の間、第２のスタンバイモードに設定することを含み、および、オプションの３番目が装置をその時間期間の間、統計モードに設定することを含み、統計モードが、装置をその時間期間の間、その時間期間中のユーザの過去の視聴習慣に基づいて第１のスタンバイモードと第２のスタンバイモードの一方に設定することを含む。
2013539277.tif 000002
【特許請求の範囲】
【請求項１】
オフ状態にあるときに第１および第２のスタンバイモードを持つ装置を動作させるための方法であって、前記第１のスタンバイモードが第２のスタンバイモードとは異なる電力量を消費する、方法において、
一日のうちの複数の異なる時間期間についてのユーザ選択を可能にするユーザインタフェースのディスプレイをイネーブルするステップと、
前記ユーザインタフェースにより、ユーザが前記複数の異なる時間期間の各々について少なくとも３種類のオプションのうち一つを選択できるようにするステップであって、該オプションの１番目が前記装置を前記時間期間の間、前記第１のスタンバイモードに設定することを含み、該オプションの２番目が前記装置を前記時間期間の間、前記第２のスタンバイモードに設定することを含み、および、該オプションの３番目が前記装置を前記時間期間の間、統計モードに設定することを含み、該統計モードは、前記装置を前記時間期間の間、前記時間期間中のユーザの過去の視聴習慣に基づいて前記第１のスタンバイモードと前記第２のスタンバイモードの一方に設定することを含む、ステップと
を有する、前記方法。
【請求項２】
前記装置を直接、オン状態から前記第２のスタンバイモードへ、ユーザ入力信号に応答して切り替えるステップをさらに有する、請求項１の方法。
【請求項３】
前記装置が前記オフ状態に切り替わるのに応答して前記第１のスタンバイモードに入るステップと、
前記装置が前記オフ状態に切り替わった所定の時間期間の後に、前記装置を前記第１のスタンバイモードから前記第２のスタンバイモードに自動的に切り替えるステップと
をさらに有する、請求項１の方法。
【請求項４】
前記装置は前記第１のスタンバイモードにおいて、前記第２のスタンバイモードよりも多くの電力を消費しおよび高速のスタートアップ時間を持つ、請求項１の方法。
【請求項５】
前記所定の時間期間は少なくとも３０分である、請求項３の方法。
【請求項６】
前記統計モードは、前記装置がオン状態にある間の積算ポイントを含む、請求項１の方法。
【請求項７】
前記異なる時間期間の各々は、ユーザが定義した開始時間および停止時間を含む、請求項１の方法。
【請求項８】
前記装置がビデオ信号受信機を含む、請求項１の方法。
【請求項９】
オフ状態にあるときに第１および第２のスタンバイモードを持つ装置（１００）であって、前記第１のスタンバイモードが第２のスタンバイモードとは異なる電力量を消費する、装置において、
ユーザが一日のうちの複数の異なる時間期間の各々について少なくとも３種類のオプションのうち一つを選択できるようにする手段（４０）であって、該オプションの１番目が前記装置（１００）を前記時間期間の間、前記第１のスタンバイモードに設定することを含み、該オプションの２番目が前記装置（１００）をその時間期間の間、前記第２のスタンバイモードに設定することを含み、および、該オプションの３番目が前記装置（１００）を前記時間期間の間、統計モードに設定することを含み、該統計モードは、前記装置（１００）を前記時間期間の間、前記時間期間中のユーザの過去の視聴習慣に基づいて前記第１のスタンバイモードと前記第２のスタンバイモードの一方に設定することを含む、手段と、
該ユーザ選択に対応するデータを記憶する手段と
を備えた、前記装置（１００）。
【請求項１０】
直接、オン状態から前記第２のスタンバイモードへ、ユーザ入力信号に応答して切り替える、請求項９の装置（１００）。
【請求項１１】
前記装置（１００）は、前記オフ状態に切り替えられるのに応答して前記第１のスタンバイモードに入り、
前記オフ状態に切り替わった所定の時間期間の後に、前記装置（１００）は前記第１のスタンバイモードから前記第２のスタンバイモードに自動的に切り替わる、
請求項９の装置（１００）。
【請求項１２】
前記装置（１００）は前記第１のスタンバイモードにおいて、前記第２のスタンバイモードよりも多くの電力を消費しおよび高速のスタートアップ時間を持つ、請求項９の装置（１００）。
【請求項１３】
前記所定の時間期間は少なくとも３０分である、請求項１１の装置（１００）。
【請求項１４】
前記統計モードは、前記装置がオン状態にある間の積算ポイントを含む、請求項９の装置（１００）。
【請求項１５】
前記異なる時間期間の各々は、ユーザが定義した開始時間および停止時間を含む、請求項９の装置（１００）。
【請求項１６】
前記装置（１００）がビデオ信号受信機を含む、請求項９の装置（１００）。
【請求項１７】
オフ状態にあるときに第１および第２のスタンバイモードを持つビデオ信号受信機（１００）であって、前記第１のスタンバイモードが第２のスタンバイモードとは異なる電力量を消費する、ビデオ信号受信機において、
一日のうちの複数の異なる時間期間についてのユーザ選択を可能にするユーザインタフェースのディスプレイをイネーブルするように機能し、および、前記ユーザインタフェースにより、ユーザが前記複数の異なる時間期間の各々について少なくとも３種類のオプションのうち一つを選択できるように機能するプロセッサ（４０）であって、該オプションの１番目が前記ビデオ信号受信機（１００）を前記時間期間の間、前記第１のスタンバイモードに設定することを含み、該オプションの２番目が前記ビデオ信号受信機（１００）をその時間期間の間、前記第２のスタンバイモードに設定することを含み、および、該オプションの３番目が前記ビデオ信号受信機（１００）を前記時間期間の間、統計モードに設定することを含み、該統計モードは、前記ビデオ信号受信機（１００）を前記時間期間の間、前記時間期間中のユーザの過去の視聴習慣に基づいて前記第１のスタンバイモードと前記第２のスタンバイモードの一方に設定することを含む、プロセッサと、
該ユーザ選択に対応するデータを記憶するように機能するメモリ（５０）と
を備えた、前記ビデオ信号受信機（１００）。
【請求項１８】
直接、オン状態から前記第２のスタンバイモードへ、ユーザ入力信号に応答して切り替える、請求項１７のビデオ信号受信機（１００）。
【請求項１９】
前記ビデオ信号受信機（１００）は、前記オフ状態に切り替えられるのに応答して前記第１のスタンバイモードに入り、
前記オフ状態に切り替わった所定の時間期間の後に、前記ビデオ信号受信機（１００）は前記第１のスタンバイモードから前記第２のスタンバイモードに自動的に切り替わる、
請求項１７のビデオ信号受信機（１００）。
【請求項２０】
前記ビデオ信号受信機（１００）は前記第１のスタンバイモードにおいて、前記第２のスタンバイモードよりも多くの電力を消費しおよび高速のスタートアップ時間を持つ、請求項１７のビデオ信号受信機（１００）。
【請求項２１】
前記所定の時間期間は少なくとも３０分である、請求項１９のビデオ信号受信機（１００）。
【請求項２２】
前記統計モードは、前記ビデオ信号受信機がオン状態にある間の積算ポイントを含む、請求項１７のビデオ信号受信機（１００）。
【請求項２３】
前記異なる時間期間の各々は、ユーザが定義した開始時間および停止時間を含む、請求項１７のビデオ信号受信機（１００）。
【発明の詳細な説明】
【技術分野】
【０００１】
本発明は、概して、ビデオ信号受信機などの、オフ状態にあるときに複数のスタンバイモードを持つ装置を動作させるための方法に関する。
【背景技術】
【０００２】
デジタルセットトップボックス（ＤＳＴＢ）、パーソナルコンピュータ（ＰＣ）などの現代の特定の装置は、オフ状態にあるときに、２種類のスタンバイモードを持つことがある。これらスタンバイモードの一つは通常、別のスタンバイモードよりも高速の装置のスタートアップ時間を備え、及び、別のスタンバイモードよりも多くの電力を消費し、該別のスタンバイモードはより長いスタートアップ時間を必要とするが消費する電力はより少ない。実際上の理由（例えば、プログラムガイドデータの受信及び高速スタートアップ）のため、そのような特定の装置は主として、より高速のスタートアップ時間を提供し及びターンオフされているときはより多くの電力を消費するスタンバイモードに留まる。このようなアプローチによって装置がターンオンされるときのスタートアップ時間がより短いという利点がある一方で、不要な電力を消費してしまう欠点があった。
【０００３】
これら２種類のスタンバイモードを管理する別のアプローチとしてタイマが使用され、より高速のスタートアップ時間を備えより多くの電力を消費するスタンバイモードから（よりエネルギ効率の良い）別のスタンバイモードに、一定の時間経過の後に装置が切り替えられる。このようなアプローチによってエネルギが節約される一方で、ユーザは、装置がターンオンされた後、スタートアップするのに比較的長い時間、待つ必要があるという欠点があった。
【発明の概要】
【発明が解決しようとする課題】
【０００４】
そこで、この技術分野においては、前述の課題を解決し、それによってビデオ信号受信機などの、オフ状態にあるときに前述した種々のスタンバイモードを持つ装置を動作させるための改良された方法を提供する要求がある。ここに記述される本発明は、これらの及び／または他の課題を解決するものである。
【課題を解決するための手段】
【０００５】
本発明の一態様に従えば、ビデオ信号受信機などの、オフ状態にあるときに複数のスタンバイモードを持つ装置であって、第１のスタンバイモードが第２のスタンバイモードとは異なる電力量を消費するような装置を動作させるための方法が開示される。典型的な形態によれば、この方法は、ユーザが複数の異なる時間期間の各々について少なくとも３種類のオプションのうち一つを選択できるようにするステップであって、該オプションの１番目が上記装置を上記時間期間の間、上記第１のスタンバイモードに設定することを含み、該オプションの２番目が上記装置を上記時間期間の間、上記第２のスタンバイモードに設定することを含み、および、該オプションの３番目が上記装置を上記時間期間の間、統計モードに設定することを含み、該統計モードは、上記装置を上記時間期間の間、上記時間期間中のユーザの過去の視聴習慣に基づいて上記第１のスタンバイモードと上記第２のスタンバイモードの一方に設定することを含む、ステップを有する。ユーザ選択は、例えば、オンスクリーンユーザインタフェースにより行うことができる。
【０００６】
本発明の別の態様に従えば、ビデオ信号受信機などの、オフ状態にあるときに複数のスタンバイモードを持つ装置であって、第１のスタンバイモードが第２のスタンバイモードとは異なる電力量を消費するような装置が開示される。典型的な形態によれば、この装置は、ユーザが一日のうちの複数の異なる時間期間の各々について少なくとも３種類のオプションのうち一つを選択できるようにするプロセッサなどの手段であって、該オプションの１番目が本装置を上記時間期間の間、上記第１のスタンバイモードに設定することを含み、該オプションの２番目が本装置をその時間期間の間、上記第２のスタンバイモードに設定することを含み、および、該オプションの３番目が本装置を上記時間期間の間、統計モードに設定することを含み、該統計モードは、本装置を上記時間期間の間、上記時間期間中のユーザの過去の視聴習慣に基づいて上記第１のスタンバイモードと上記第２のスタンバイモードの一方に設定することを含む、手段と、該ユーザ選択に対応するデータを記憶する、メモリなどの手段とを有する。ユーザ選択はプロセッサの制御下で、例えば、オンスクリーンユーザインタフェースにより行うことができる。
【図面の簡単な説明】
【０００７】
この発明の上述の及び他の特徴及び利点、並びに、それらを達成する方法は、本発明の形態についての以下の説明を添付の図面と併せて参照することによってより明らかになり、また、本発明をよりよく理解できよう。
【図１】第１および第２のスタンバイモードを持った、本発明の例示的な形態に従った装置のブロック図を示す。
【図２】図１の装置の、本発明の例示的な形態に従った動作を表すグラフ図を示す。
【図３】図１の装置の、本発明の別の例示的な形態に従った動作を表すグラフ図を示す。
【図４】本発明の例示的な形態に従ったフロー図を示す。
【図５】図１の装置の、本発明のさらに別の例示的な形態に従った動作を表すグラフ図を示す。
【図６】本発明の例示的な形態に従った、統計モードにおける積算ポイントに関するグラフ図を示す。
【図７】本発明の別の例示的な形態に従った、統計モードにおける積算ポイントに関するグラフ図を示す。
【図８】図１の装置の、本発明の尚さらに別の例示的な形態に従った動作を表すグラフ図を示す。
【図９】第１および第２のスタンバイモードを持った、本発明の例示的な形態に従った装置を制御するためのユーザインタフェースを示す。
【発明を実施するための形態】
【０００８】
ここで詳細に説明される種々の例示は本発明の好ましい形態を表し、そのような例示をどのような様態であっても本発明の範囲を制限するものとして解釈すべきではない。
【０００９】
ここで、図面を、具体的には図１を参照すると、第１および第２のスタンバイモードを持った、本発明の例示的な形態に従った装置１００のブロック図が示されている。例示的な形態によれば、装置１００はデジタルセットトップボックス（ＤＳＴＢ）などのビデオ信号受信機として実施され、オーディオ、ビデオ、および／または、データ信号などの電気信号を受信しおよび処理するように動作でき、オフ状態にあるときに少なくとも２種類のスタンバイモードを持った、どのようなタイプの電気デバイスおよび／または装置（一体型ディスプレイ付きまたはなし）としても実施することができる。例示および説明を目的として、本発明がここでは、特定のＤＳＴＢを参考に記述される。
【００１０】
ここに記述する例示的な形態によれば、装置１００はオフ状態にあるときに２種類のスタンバイモードを持ち、ここでＭ１と称する第１のスタンバイモードおよびここでＭ２と称する第２のスタンバイモードが含まれる。これらの例示的な形態によれば、第１のスタンバイモードＭ１は装置１００により高速のスタートアップ時間を提供し第２のスタンバイモードＭ２よりも多くの電力を消費する。例えば、第１のスタンバイモードＭ１は装置１００に、およそ１−２秒のスタートアップ時間を提供し約３５Ｗの電力を消費する。一方、第２のスタンバイモードＭ２は装置１００に、およそ４０秒のスタートアップ時間を提供し約６Ｗの電力を消費する。もちろん、これらスタートアップ時間および消費電力は単なる例示であって、本発明をどのような態様においても限定することを意図するものではない。
【００１１】
図１の装置１００は、フロントパネルアセンブリ（ＦＰＡ）１０などのフロントパネル手段、増幅器２０などの結合手段、および、Ｉ／Ｏブロック３０などの入出力（Ｉ／Ｏ）手段、プロセッサ４０などの処理手段、および、メモリ５０などのメモリ手段を有している。前述した図１の構成要素のいくつかは、１つまたはそれよりも多くの集積回路（ＩＣ）を用いて実施することができる。説明を明瞭にするため、装置１００に関連する特定の伝統的な構成要素、特定の制御信号、電力信号、および／また、他の構成要素などは図１に示していない。
【００１２】
ＦＰＡ１０は、装置１００に関連するユーザ入力装置（図に示されない）からユーザ入力を受け取るように、および、該ユーザ入力に対応する信号を増幅器２０へ出力するように機能する。例示的な形態に従えば、ＦＰＡ１０は、赤外および／または無線周波数信号などの信号をユーザ入力装置から受け取り、対応する信号であって増幅器２０へ出力される信号を発生する。ＦＰＡ１０はまた、組み込みキー（built-in key）を持つことができる。増幅器２０は、ＦＰＡ１０から供給された信号を、プロセッサ４０への出力のために増幅するように機能する。増幅器２０は、実装に応じて光学的構成要素とすることができる。
【００１３】
Ｉ／Ｏブロック３０は、装置１００のＩ／Ｏ機能を遂行するように機能する。例示的な形態によれば、Ｉ／Ｏブロック３０は、オーディオ、ビデオ、および／または、データ信号などの信号を、アナログおよび／またはデジタルフォーマットで、地上波、ケーブル、衛星、インターネット、および／または、他の信号ソースなど、１つまたはそれよりも多くの信号ソースから受け取るように機能する。Ｉ／Ｏブロック３０はまた、信号を１つまたはそれよりも多くの他の装置に出力するように、および、そのような装置から信号を受け取るように機能する。
【００１４】
プロセッサ４０は、様々な信号処理および装置１００の機能の制御を遂行するように機能する。例示的な形態によれば、プロセッサ４０は、Ｉ／Ｏブロック３０から提供されるオーディオ、ビデオ、および／または、データ信号を、同調、復調、前方誤り訂正、および、転送処理機能を含む機能を実行することによって処理し、それによりオーディオ、ビデオ、および／または、データコンテンツを表すデジタルデータを発生する。このような処理機能から生成されるデジタルデータは、さらなる処理のため、および／または、出力（例えばディスプレイ）のために供給される。
【００１５】
プロセッサ４０はまた、ここで説明される本発明の種々形態および方法の実行を容易にしおよびイネーブルするソフトウエアコードを実行するように機能する。上述したようにまた後述するように、装置１００は、オフ状態にあるときに２種類のスタンバイモード、すなわち、第１のスタンバイモードＭ１および第２のスタンバイモードＭ２を有する。プロセッサ４０は、装置１００のオン状態とオフ状態の切り替えを（例えばユーザ入力に応答して）制御し、および、装置１００の第１のスタンバイモードＭ１と第２のスタンバイモードＭ２の切り替えをも、オフ状態にあるときに、マニュアル定義法、自動学習法（すなわち統計モード）、および、前述のこの２つの方法の原理を組み合わせる結合法を含む様々な方法に従って制御する。本発明のこれら態様に関するより詳細は、以下で提供される。
【００１６】
プロセッサ４０はまた、装置１００の他の機能を実行しおよび／またはイネーブルするように機能し、この機能は限定されることなく、ユーザ入力装置によりなされたユーザ入力を処理すること、オンスクリーンディスプレイをイネーブルすること、データをメモリ５０から読み取り、および、メモリ５０へ書き込むこと、および／または、他の操作を含む。
【００１７】
メモリ５０は動作可能にプロセッサ４０に結合され、装置１００のデータストレージ機能を遂行する。例示的な形態に従えば、メモリ５０はデータをストアするが、このデータは限定されることなく、ソフトウエアコード、（例えばメニューなどの）オンスクリーンディスプレイデータ、（例えばユーザ指定タイムテーブルなどの）ユーザ選択／設定データ、統計的に作られた（statistically-generated）タイムテーブル、および／または、他のデータを含む。
【００１８】
後述される通り、本発明の原理を用いることで、装置１００について、第１のスタンバイモードＭ１に付随する高速スタートアップ時間と第２のスタンバイモードＭ２に付随する電力の節約との間の所望のバランスを有利に提供する。
【００１９】
図２を参照すると、本発明の例示的な形態に従った装置１００の動作を表すグラフ２００および２１０が示されている。この例示的な形態によれば、装置１００はマニュアル定義法を提供し、このマニュアル定義法では、編集可能なオンスクリーンメニューに応答してユーザが装置１００に入力を提供し、それにより、装置１００がいつ第１のスタンバイモードＭ１および第２のスタンバイモードＭ２にあるかを指示する（dictate）タイムテーブルをマニュアルで定義する。このタイムテーブルは、それぞれがユーザにより定義される開始時間と停止時間を持った、一日のうちの複数の異なる時間期間（time period）からできている。
【００２０】
一つの例示的な形態によれば、一週間のすべての日について使用されるタイムテーブルを、一日について定義すればよい。このようにして、第１のスタンバイモードＭ１および第２のスタンバイモードＭ２について定義された時間期間は毎日、同じものになる。代替として、ウイークデーと週末について別々に定義することもできる。さらなる代替として、一週間の夫々の日について独立に定義し、それにより、ユーザに装置１００がいつ第１のスタンバイモードＭ１および第２のスタンバイモードＭ２にあるかを定義するに際して最大量のフレキシビリティを提供することもできる。後者の代替は、ユーザが一週間の夫々の日について異なる視聴習慣を持っている場合に特に有用である。
【００２１】
図２のグラフ２００が示す通り、ユーザは夜、１８：００から２２：００の間に（ブロック２２０）テレビを見る（したがって装置１００をターンオンする）習慣を持っている。したがって、前述したタイムテーブル中で、ユーザは装置１００を１８：００から２２：００の間は第１のスタンバイモードＭ１に設定し、残りの時間については第２のスタンバイモードＭ２に設定する。もちろん、下で述べる通り、これらユーザ設定を機能しないようにする（override）ことができ、装置１００がターンオンされている時間期間には適用されない。
【００２２】
次いで図２のグラフ２１０は、前述の例示的な、しかるべきユーザ設定に対する装置１００の動作を示す。具体的には、装置１００は自動的に、１８：００に第２のスタンバイモードＭ２から第１のスタンバイモードＭ１に切り替える（ブロック２３０）。後にユーザは装置１００を１９：３０にターンオンし、次の９０分間、テレビを見る（ブロック２４０）。次に、ユーザがテレビを見終わって装置１００を２１：００にターンオフすると、装置１００は２２：００までの別の６０分間、第１のスタンバイモードＭ１に入り（ブロック２５０）、その後、自動的に第２のスタンバイモードＭ２に切り替える。
【００２３】
図３を参照すると、本発明の別の例示的な形態に従った装置１００の動作を表すグラフ３００および３１０が示されている。この例示的な形態によれば、装置１００は、ユーザがテレビを見終わって装置１００がターンオフされて（必要ならユーザ設定を機能しないようにする）所定の時間期間（この例では３０分だが、別の時間期間としてもよい）後に、第１のスタンバイモードＭ１から第２のスタンバイモードＭ２に自動的に切り替える。この例示的な形態は、装置１００が第２のスタンバイモードＭ２に余り早く入ってしまうことを防ぎ、それにより、ユーザが直ぐ後でテレビを見ることを再開したい場合に長いスタートアップ時間を回避するために特に有用である。
【００２４】
図３のグラフ３００が示す通り、ユーザは１１：００から１２：００の間（ブロック３２０）および２０：３０から２３：００の間（ブロック３７０）、テレビを見ている（したがって装置１００がターンオンされている）。図３ではまた、図２と同一のユーザ設定を適用するものとし、すなわち、ユーザは装置１００を１８：００から２２：００の間は第１のスタンバイモードＭ１に設定し、残りの時間については第２のスタンバイモードＭ２に設定するものとする。上で説明した通り、これらユーザ設定は機能しないようにすることができ、装置１００がターンオンされている時間期間には適用されない。
【００２５】
図３のグラフ３１０は次いで、前述の例示的な、適切なユーザ設定についての装置１００の動作を表す。具体的には、装置１００は、１１：００から１２：００の間（ブロック３２０および３３０）にユーザの視聴のためにターンオンされる。装置１００が１２：００にターンオフされると、装置１００は３０分間、第１のスタンバイモードＭ１に切り替え（ブロック３４０）、よって、この３０分の期間、根本的にユーザ設定を機能しないようにする。この３０分の期間の後で、装置１００は次いで、自動的に第２のスタンバイモードＭ２に切り替え、ユーザ設定と一致させる。後に１８：００において、装置１００は自動的に第２のスタンバイモードＭ２から第１のスタンバイモードＭ１に切り替え（ブロック３５０）、ユーザ設定に従う。次に、装置１００はターンオンされ、ユーザは２０：３０から２３：００の間（ブロック３６０および３７０）テレビを視聴している。装置１００が２３：００にターンオフされると、装置１００は３０分間、第１のスタンバイモードＭ１に切り替え（ブロック３８０）、よって、この３０分の期間、根本的にユーザ設定を機能しないようにする。この３０分の期間の後で、装置１００は次いで、自動的に第２のスタンバイモードＭ２に切り替え、ユーザ設定と一致させる。
【００２６】
図４を参照すると、本発明の例示的な形態に従ったフロー図が示されている。図４の例示的な形態は、図３の例示的な形態からの原理を含み、および、ユーザが所定の時間期間（例えば３０分）待つことなく、装置１００を直接、第２のスタンバイモードＭ２に設定することを可能にすることでエネルギを節約するという追加の機能を提供する。
【００２７】
図４に従えば、装置１００がオン状態にあるときは（ブロック４００）、ユーザは装置１００をターンオフし、そして、リモートコントロール装置またはＦＰＡ１０の所定のキー（例えば“オフ”キー）を所定の時間期間内に２回、押圧することによって、または、このキーを所定の時間期間の間（例えば５秒）押下することによって、装置１００を直接、第２のスタンバイモードＭ２に（所定の時間期間待つことなく）設定することができる（ライン４１０）。装置１００が第２のスタンバイモードＭ２にあるときは（ブロック４２０）、装置１００は前述したタイムテーブルにおけるユーザ設定にしたがって（ライン４３０）第１のスタンバイモードＭ１に切り替える（ブロック４４０）。装置１００が第１のスタンバイモードＭ１にあるときは（ブロック４４０）、ユーザはリモートコントロール装置またはＦＰＡ１０の所定のキー（例えば “オン”キー）を押圧することによって、装置１００をオン状態（ブロック４００）にすることができる（ライン４５０）。
【００２８】
また、装置１００がオン状態にあるときは（ブロック４００）、ユーザは、リモートコントロール装置またはＦＰＡ１０の所定のキー（例えば “オフ”キー）を押圧することによって、装置１００をターンオフすることができる（ライン４６０）。このようにして装置１００をターンオフすることによって、装置１００はデフォルトにより第１のスタンバイモードＭ１に入る。装置１００が第１のスタンバイモードＭ１にあるときは（ブロック４４０）、ユーザが所定の時間期間の間（例えば例えば３０分）、テレビを見ていなかった（すなわち、装置１００がターンオンされていなかった）なら、装置１００は前述したタイムテーブルにおけるユーザ設定にしたがって（ライン４７０）第２のスタンバイモードＭ２に切り替える（ブロック４２０）。また、装置１００が第２のスタンバイモードＭ２にあるときは（ブロック４２０）、ユーザはリモートコントロール装置またはＦＰＡ１０の所定のキー（例えば “オン”キー）を押圧することによって、装置１００をオン状態（ブロック４００）にすることができる（ライン４８０）。
【００２９】
図５を参照すると、本発明のさらに別の例示的な形態に従った装置１００の動作を表すグラフ５００および５１０が示されている。この例示的な形態によれば、装置１００は、第１および第２のスタンバイモードＭ１およびＭ２についてタイムテーブルをユーザの視聴習慣の統計的評価に基づいて自身で定義する自動学習法（すなわち統計モード）を含む。この例示的な形態では、所与の一日のうちの各時間期間内の視聴時間（すなわち、装置１００がターンオンされている時間）の量が所定の時間期間（例えば、直近の３０日の間など）について積算され、閾値レベル（グラフ５００の黒い線を参照）を用いて統計を評価する。使用される、この閾値レベルは、ユーザによって定義することができる。また、各時間期間内の視聴時間の量はポイントのかたちで積算され、ポイントは、各時間期間内に装置１００がターンオンされていた時間の量を表す。図５の例示的な形態の一つの態様では、装置１００がターンオンされた後、閾値レベルが適合される、すなわちスタートアップ時間が長いことでユーザを苛立たせることを回避するのを超えるより前に、装置１００によって所定の時間期間（例えば、１時間など）、第２のスタンバイモードＭ２から第１のスタンバイモードＭ１に切り替える。
【００３０】
図５のグラフ５００および５１０は、第１および第２のスタンバイモードＭ１およびＭ２について、タイムテーブルを本発明の前述の統計モードに従ってどのように定義するかを示している。グラフ５００が示す通り、ユーザの視聴習慣がブロック５２０および５４０によって表される。グラフ５００が表すこれらの視聴習慣に基づいて、装置１００は自動的に、タイムテーブルをグラフ５１０が表す通りに定義する。グラフ５１０が示す通り、装置１００は１２：００から１３：３０（ブロック５３０）および１７：００から２２：３０（ブロック５５０）は第１のスタンバイモードＭ１にあり、残りの時間は統計的に定義さけたタイムテーブルに従って第２のスタンバイモードＭ２にある。
【００３１】
図６を参照すると、前述の統計モードにおける積算ポイントに関する、本発明の例示的な形態に従ったグラフ６００および６１０が示されている。具体的には、図５の例示的な形態における統計的な評価を平準化し高めるために、装置１００がターンオンされている時間の量は、適用できる時間内にだけ追加され得るのでなく、これら時間期間の前および後にも部分的に追加され得る。例えば、ユーザが、グラフ６００で表される通りに１２：００から１５：００までテレビを見ている（すなわち、装置１００がターンオンされている）場合、この視聴時間期間のそれぞれ３０分前のおよび後の時間期間はまた、グラフ６１０で表される通り、“積算ポイント(accumulation-point)”として２５％を得る。もちろん、２５％は一例であり、他のパーセンテージ、すなわち時間期間の単位を用いることができる。
【００３２】
図７を参照すると、前述の統計モードにおける積算ポイントに関する、本発明の別の例示的な形態に従ったグラフ７００および７１０が示されている。この例示的な形態に従えば、図６について上述した”平準化(smoothing)”は、（図６のような）第１の前のおよび次の時間期間に影響することによってのみならず、第２、第３の（および／またはさらなる）前のおよび／または次の時間期間に影響することによって、なおさら精細になされる。これは、線形、非線形、上行（ascending）、および／または、下行（descending）のやり方ですることができる。例えば、ユーザが、グラフ７００で表される通りに１２：００から１５：００までテレビを見ている（すなわち、装置１００がターンオンされている）場合、この視聴時間期間のそれぞれ３０分、前のおよび後の時間期間は“積算ポイント”として５０％を得、および、この視聴時間期間の６０分および９０分、それぞれ前のおよび後の時間期間はまた“積算ポイント”として２５％を得、グラフ７１０で表される通りである。もちろん、これらのパーセンテージは一例にすぎず、他のパーセンテージ、すなわち時間期間の単位を用いることができる。
【００３３】
タイムテーブルにおける時間期間のマニュアル設定と同様に、統計モードにおける時間期間の設定もまた、一日について（すなわち、ウイークデーとの相違も週末との相違もなしに）計算することができ、すなわち、各ウイークデー、週末の各日、または各日について、ユーザの視聴習慣に個々により緊密にマッチするように計算することができる。
【００３４】
図８を参照すると、本発明のさらにまた別の例示的な形態に従った装置１００の動作を表すグラフ８００が示されている。この例示的な形態に従えば、上述のマニュアル定義法および自動学習法（すなわち統計モード）を組み合わせて結合法を作ることができる。この例示的な形態では、ユーザには一日のうちの各時間期間について３種類のオプションが提供される。具体的には、ユーザは各時間期間について、装置１００を第１のスタンバイモードＭ１に設定したいかどうかまたは第２のスタンバイモードＭ２に設定したいかどうかを、すなわち、装置１００が時間期間を自身で自動的に取り扱わなければならない（例えば、装置１００が第１のスタンバイモードＭ１または第２のスタンバイモードＭ２のどちらかを、時間期間について、上述した統計モードまたは他の統計に基づいた手法に従って選択する）  かを、決定することができる。有利には、各時間期間の開始時間および停止時間をユーザが定義してもよい。
【００３５】
グラフ８００は、上述の結合法をどのように用いるかの一例を示している。グラフ８００が示す通り、ユーザは装置１００を次の通りに設定する：  ０：００から１０：００は第２のスタンバイモードＭ２（ブロック８１０）、１０：００から１８：００は統計モード（すなわちオート）（ブロック８２０）、１８：００から２２：３０は第１のスタンバイモードＭ１（ブロック８３０）、そして、２２：３０から２４：００は統計モード（すなわちオート）（ブロック８４０）。全部の日についてこのようにすることができ、この場合、一日についての設定（set-up）を、一週間の毎日について使用する。代替として、ウイークデーと週末について別個に定義してもよく、または、一週間のうちの各日について別個に定義してもよい。
【００３６】
図９は、前述の結合法にユーザを容易にエントリさせるためのオンスクリーンメニューとして提供し得る例示的なユーザインタフェース９００を示す。図９が示す通り、ユーザインタフェース９００は、複数の異なる時間期間からできているタイムテーブルを含んでおり、各時間期間は、それぞれがユーザにより定義される開始時間とストップ時間を持っている。ユーザインタフェース９００は単なる例示であって、本発明に従った他のどのようなタイプのユーザインタフェースを使用することもできる。他の形態と同様におよび上述したように、この結合法によれば、ユーザは図９に表されるタイムテーブルを一日について定義することができ、このタイムテーブルを一週間の毎日について使用することができる。代替として、ウイークデーと週末について別々に定義してもよい。さらなる代替として、一週間のうちの各日について独立に定義してもよい。
【００３７】
前述の結合法が図５の自動学習法（すなわち統計モード）を使用することに限定されないことにも注意すべきである。むしろ、ユーザの過去の視聴習慣の統計的な評価を用いるどのようなタイプの方法または手法も、本発明の範囲および思想から逸脱することなく、結合法に使用することができる。
【００３８】
上述した通り、本発明は、ビデオ信号受信機などの、オフ状態にあるときに複数のスタンバイモードを持つ装置を動作させるための方法を提供するものである。本発明は具体的には、電力の節約とスタートアップ手順の間の長い待機の回避との間の所望のバランスを提供できる点において有利である。
【００３９】
本発明を好ましい設計を持っているとして説明したが、この開示の思想と範囲の範囲内でさらに修正することができる。その上に本出願は、本発明の一般的原理を用いるどのような変形、用途、または適応も対象とすることを意図している。さらに、本出願は、当開示からの逸脱であって、この発明が関係する技術分野における知られたまたは通例の実践の範囲にあり且つ添付の請求の範囲の制限内に含まれるような逸脱も対象とすることを意図している。
【図１】
2013539277.tif 000003
【図２】
2013539277.tif 000004
【図３】
2013539277.tif 000005
【図４】
2013539277.tif 000006
【図５】
2013539277.tif 000007
【図６】
2013539277.tif 000008
【図７】
2013539277.tif 000009
【図８】
2013539277.tif 000010
【図９】
2013539277.tif 000011
【手続補正書】
【提出日】平成25年8月19日(2013.8.19)
【手続補正１】
【補正対象書類名】特許請求の範囲
【補正対象項目名】全文
【補正方法】変更
【補正の内容】
【特許請求の範囲】
【請求項１】
第１および第２のスタンバイモードを有する装置を、前記装置がオフ状態にあるときに動作させるための方法であって、前記第１のスタンバイモードは前記第２のスタンバイモードとは異なる電力量を消費し、
一日のうちの複数の異なる時間期間についてのユーザ選択を可能にするユーザインタフェースのディスプレイをイネーブルするステップと、
前記ユーザインタフェースを介して、ユーザが前記複数の異なる時間期間の各々の時間期間について少なくとも３つの異なるオプションのうちのいずれか１つを選択するのを可能にするステップであって、前記オプションの第１のオプションは、前記装置を前記時間期間の間、前記第１のスタンバイモードに設定することを含み、前記オプションの第２のオプションは、前記装置を前記時間期間の間、前記第２のスタンバイモードに設定することを含み、前記オプションの第３のオプションは、前記装置を前記時間期間の間、統計モードに設定することを含み、該統計モードは、前記装置を前記時間期間の間、前記時間期間中のユーザの過去の視聴習慣に基づいて前記第１のスタンバイモードと前記第２のスタンバイモードとの一方に設定することを含む、前記ステップと、
を含む、前記方法。
【請求項２】
前記装置が前記オフ状態に切り替わるのに応答して前記第１のスタンバイモードに入るステップと、
前記装置が前記オフ状態に切り替わった所定の時間期間の後に、前記装置を前記第１のスタンバイモードから前記第２のスタンバイモードに自動的に切り替えるステップと、
をさらに含む、請求項１に記載の方法。
【請求項３】
前記装置は前記第１のスタンバイモードにおいて、前記第２のスタンバイモードよりも多くの電力を消費し、より高速のスタートアップ時間を有し、前記方法は、前記ユーザが特定の時間期間の間に前記第２のスタンバイモードを選択した場合にユーザ入力信号に応答して、前記装置を前記特定の時間期間においてオン状態から前記第２のスタンバイモードへ直接切り替えるステップをさらに含む、請求項１に記載の方法。
【請求項４】
前記所定の時間期間は少なくとも３０分である、請求項２に記載の方法。
【請求項５】
前記統計モードは、前記装置がオン状態にある間の積算ポイントを含む、請求項１に記載の方法。
【請求項６】
前記異なる時間期間の各々の時間期間は、ユーザによって定義された開始時間および停止時間を含む、請求項１に記載の方法。
【請求項７】
前記装置がビデオ信号受信機を含む、請求項１に記載の方法。
【請求項８】
オフ状態にあるときに第１および第２のスタンバイモードを有する装置であって、前記第１のスタンバイモードが前記第２のスタンバイモードとは異なる電力量を消費し、
ユーザが、一日のうちの複数の異なる時間期間の各々の時間期間について少なくとも３つの異なるオプションのうちのいずれか１つを選択するのを可能にする手段であって、前記オプションの第１のオプションは、前記装置を前記時間期間の間、前記第１のスタンバイモードに設定することを含み、前記オプションの第２のオプションは、前記装置を前記時間期間の間、前記第２のスタンバイモードに設定することを含み、前記オプションの第３のオプションは、前記装置を前記時間期間の間、統計モードに設定することを含み、該統計モードは、前記装置を前記時間期間の間、前記時間期間中のユーザの過去の視聴習慣に基づいて前記第１のスタンバイモードと前記第２のスタンバイモードとの一方に設定することを含む、前記可能にする手段と、
前記ユーザの選択に対応するデータを記憶する手段と、
を備えた、前記装置。
【請求項９】
前記装置は、前記ユーザが特定の時間期間の間に前記第２のスタンバイモードを選択した場合、ユーザ入力信号に応答して、前記特定の時間期間の間にオン状態から前記第２のスタンバイモードへ直接切り替わる、請求項８に記載の装置。
【請求項１０】
前記装置は、前記オフ状態に切り替えられることに応答して前記第１のスタンバイモードに入り、
前記装置は、前記オフ状態に切り替えられた所定の時間期間の後に前記第１のスタンバイモードから前記第２のスタンバイモードに自動的に切り替わる、請求項８に記載の装置。
【請求項１１】
前記装置は前記第１のスタンバイモードにおいて、前記第２のスタンバイモードよりも多くの電力を消費し、より高速のスタートアップ時間を有する、請求項８に記載の装置。
【請求項１２】
前記所定の時間期間は少なくとも３０分である、請求項１０に記載の装置。
【請求項１３】
前記統計モードは、前記装置がオン状態にある間の積算ポイントを含む、請求項８に記載の装置。
【請求項１４】
前記異なる時間期間の各々の時間期間は、ユーザによって定義された開始時間および停止時間を含む、請求項８に記載の装置。
【請求項１５】
前記装置がビデオ信号受信機を含み、前記可能にする手段はプロセッサであり、前記記憶する手段はメモリである、請求項８に記載の装置。
【国際調査報告】
2013539277.tif 000012
2013539277.tif 000013
2013539277.tif 000014